(57)【要約】【課題】  浴室に設けた浴室乾燥機と、湯張動作機能を備えた温水供給手段と、温水供給手段を操作する浴室に設置した浴室リモコンと、温水供給手段を操作する台所に設置した台所リモコンとから成り、浴室乾燥機と温水給湯手段と浴室リモコンと台所リモコン間を双方向に情報伝達する浴室乾燥システムにおいて、湯張動作機能が行われている最中の乾燥動作の開始、反対に乾燥動作機能が行われている最中の湯張動作の開始という、好ましくない事態の発生を予防することを可能とする。【解決手段】  温水供給手段が湯張動作中に台所リモコンからの浴室乾燥機の乾燥操作指令を、及びまたは浴室乾燥機が乾燥動作中に台所リモコンからの温水給湯手段の湯張操作指令を無効とする。【選択図】  図１
2005164078.tif 000002
【特許請求の範囲】
【請求項１】
浴室に設けた浴室乾燥機と、湯張動作機能を備えた温水供給手段と、前記温水供給手段を操作する浴室に設置した浴室リモコンと、前記温水供給手段を操作する台所に設置した台所リモコンとから成り、前記浴室乾燥機と前記温水給湯手段と前記浴室リモコンと前記台所リモコン間を双方向に情報伝達する浴室乾燥システムにおいて、前記温水供給手段が湯張動作中に前記台所リモコンからの前記浴室乾燥機の乾燥操作指令を、及びまたは前記浴室乾燥機が乾燥動作中に前記台所リモコンからの前記温水給湯手段の湯張操作指令を無効とすることを特徴とする浴室乾燥システム。
【請求項２】
請求項２に記載の浴室乾燥システムにおいて、前記台所リモコンからの前記温水給湯手段の湯張操作指令、及びまたは前記浴室乾燥機の乾燥操作指令を、再度操作したら、該操作指令を有効とすることを特徴とする請求項１に記載の浴室乾燥システム。
【発明の詳細な説明】
【技術分野】
【０００１】
本発明は、浴室に設けた浴室乾燥機と、給湯機と、浴室リモコンと台所リモコンとを有線で接続して、双方向で情報伝達を行う浴室乾燥システムに係り、特に台所リモコンの好適な操作性に関する発明である。
【背景技術】
【０００２】
従来の給湯暖房衣類乾燥システムは、浴室乾燥機と、自動湯張機能を備えた給湯機から成る浴室乾燥システムにおいて、台所に「湯張と、暖房を兼用するスイッチを設けたことを特徴とする」システムがある。（例えば、特許文献１参照。）。
このような場合、浴室に設置した浴室乾燥機が衣類を乾燥中に、台所リモコンの湯張スイッチ暖房兼用スイッチを押したら、湯張の蒸気のために、乾燥中の衣類が湿ってしまうという問題があった。
【特許文献１】特開２００２−１０６８７３号公報（第１頁の請求項３、第１図）
【発明の開示】
【発明が解決しようとする課題】
【０００３】
本発明は、上記問題を解決するためになされたもので、本発明の課題は、上記従来の浴室乾燥システムにおいて、給湯機の湯張動作機能と、浴室乾燥機の乾燥動作機能とが、相互に完全に独立した動作形式となっているため、例えば極端な動作操作がなされた場合においては、湯張動作機能が行われている最中においても乾燥動作が開始されるし、反対に乾燥動作機能が行われている最中においても湯張動作が開始されるといった事態の発生も考えられ、それらの好ましくない事態の発生の予防は、このシステムを使用する人の判断力や注意力にのみ専ら依存させられていたことである。
【課題を解決するための手段と、発明の効果】
【０００４】
上記目的を達成するために請求項１記載の発明によれば、「浴室に設けた浴室乾燥機と、湯張動作機能を備えた温水供給手段と、前記温水供給手段を操作する浴室に設置した浴室リモコンと、前記温水供給手段を操作する台所に設置した台所リモコンとから成り、前記浴室乾燥機と前記温水給湯手段と前記浴室リモコンと前記台所リモコン間を双方向に情報伝達する浴室乾燥システムにおいて、前記温水供給手段が湯張動作中に前記台所リモコンからの前記浴室乾燥機の乾燥操作指令を、及びまたは前記浴室乾燥機が乾燥動作中に前記台所リモコンからの前記温水給湯手段の湯張操作指令を無効とすること」により、「湯張をしていたのに乾燥をしたことによって浴室の温度が下がってしまった」「浴室を乾燥していたのに湯張をして湿気が戻ってしまった」という「使用する人の判断力や注意力が誤った場合にも、乾燥と湯張りの同時運転による不都合を回避すること」を可能とした。
【０００５】
また、請求項２記載の発明によれば、「台所リモコンからの前記温水給湯手段の湯張操作指令、及びまたは前記浴室乾燥機の乾燥操作指令を、再度操作したら、該操作指令を有効とすること」により、「浴室が結露しないように浴室の乾燥をしながら、湯張り動作をさせたという使用者の意志に応えることを」を可能とした。
【発明を実施するための最良の形態】
【０００６】
以下、本発明の実施の形態を、図面により詳細に説明する。
図１は、本発明の一実施形態に関わる浴室乾燥システムの全体構成図である。
浴室Ａの天井面に浴室乾燥機１が設置されており、洗面所Ｂに設置されている浴室乾燥機リモコン２と通信線９１２でつながっていて、浴室乾燥機リモコン２から浴室乾燥機１へ片方向の情報伝達を行っている。
一方、屋外に給湯機３が設置されており、給湯機３と給湯機３の給湯操作指令をする浴室リモコン４とは通信線９３４でつながっており、また、給湯機３は台所Ｃに設置されている給湯機３の台所リモコン５と通信線９５３でつながっており、双方向で情報伝達を行っている。
また、浴室リモコン４と、浴室乾燥機１は、通信線９４１でつながっていて、双方向で情報伝達を行っている。
【０００７】
図２は、本発明の一実施形態に関わる浴室乾燥システムのブロック図である。  浴室乾燥機１は、換気の機能を備える浴室換気用送風機１４と、循環の機能を備える循環用送風機１５と、熱源となるヒーター１６と、暖房と乾燥と涼風と換気の機能を制御する制御部１１からなっている。浴室乾燥機１の制御部１１と、浴室乾燥機リモコン２の制御部２１は、通信線９１２でつながって、操作部２２と、表示部２３からなっている。制御部１１は浴室乾燥機リモコン２の制御部２１からの片方向の情報伝達を行っている。
給湯機３は、給湯温度と給湯機能を制御する制御部３１を備えている。
浴室リモコン４は、給湯機３の制御部３１と通信線９３４でつながって通信する制御部４１と、操作部４２と、表示部４３からなっている。浴室リモコン４の制御部４１は、浴室乾燥機１の制御部１１と通信線９４１でつながって、双方向の情報伝達を行っている。
台所リモコン５は、給湯機３の制御部３１と通信線９５３でつながって通信する制御部５１と、操作部５２と、表示部５３からなっている。
台所リモコン５の制御部５１と給湯機３の制御部３１の間、給湯機３の制御部３１と浴室リモコン４の制御部４１の間、浴室リモコン４の制御部４１と浴室乾燥機１の制御部１１との間では、双方向の情報伝達を行っているので、給湯機３の動作と、浴室乾燥機１の動作と、台所リモコン５での操作指令と、浴室リモコン４での操作指令を、制御部５１、制御部３１、制御部４１、制御部１１にて監視できる。
【０００８】
図３は、台所リモコンの概略図である。
台所リモコン５には、浴室の浴槽に給湯をする湯張スイッチ５４と、浴室の乾燥をする乾燥スイッチ５５と、表示部５３が設けてある。
図４は、浴室リモコンの概略図である。
浴室リモコン４には、浴室の浴槽に給湯をする湯張スイッチ４４と、浴室の乾燥をする乾燥スイッチ４５と、表示部４３が設けてある。
図５は、浴室乾燥機リモコンの概略図である。
浴室乾燥機リモコン２には、浴室の乾燥をする乾燥スイッチ２５と、表示部２３が設けてある。
【０００９】
以上で構成された浴室乾燥システムの動作を説明する。
浴室乾燥機１で浴室を乾燥させる場合の乾燥動作については、給湯機３の台所リモコン５に備えられている乾燥スイッチ５５、浴室リモコン４に備えられている乾燥スイッチ４５、浴室乾燥機リモコン２に備えられている乾燥スイッチ２５のいずれかを操作することにより、浴室乾燥機１の循環用送風機１５が回転すると共に、ヒータ１６に通電することにより、浴室Ａ内の空気は浴室乾燥機１を通過して浴室Ａ内と循環しつつ、浴室Ａ内の空気を加熱する。それと同時に浴室換気用送風機１４が回転することにより、浴室乾燥機１に連通した排気ダクト（図示せず）を介して、浴室Ａ内の空気を屋外へ排気する。
浴室乾燥機１が乾燥動作をしていることは、浴室乾燥機１の制御部１１から通信線９４１を通じて浴室リモコン４の制御部４１へ、さらに通信線９３４を通じて給湯機３の制御部３１へ、通信線９５３を通じて台所リモコン５の制御部５１へ伝わると共に、浴室乾燥機１の制御部１１から通信線９１２を通じて浴室乾燥機リモコン２の制御部２１へ伝えられる。浴室乾燥機１が乾燥動作をしていることは、浴室乾燥機リモコン２の表示部２３、浴室リモコン４の表示部４３、台所リモコン５の表示部５３に表示される。
【００１０】
給湯機３の湯張動作については、給湯機３の台所リモコン５に備えられている湯張スイッチ５４、浴室リモコン４に備えられている湯張スイッチ４４のいずれかを操作すると、給湯機３が浴室Ａの浴槽へ給湯を開始する。給湯機３が湯張動作をしていることは、制御部３１から通信線９５３を通じて台所リモコン５の制御部５１へ、さらに通信線９３４を通じて浴室リモコン４の制御部４１へ、通信線９４１を通じて浴室乾燥機１の制御部１１へ、通信線９１２を通じて浴室乾燥機リモコン２の制御部２１へ伝わる。給湯機３が湯張動作をしていることは、浴室リモコン４の表示部４３、台所リモコン５の表示部５３に表示される。
【００１１】
ここで、本発明の実施例１を説明する。実施例１は、使用者が台所から台所リモコンを用いて、給湯機３の「湯張」を指示したい場合の例である。
図６は、実施例１の浴室乾燥システムにおける特徴的な制御のフローチャートであり、このフローチャートに沿って実施例１を説明する。
使用者が台所リモコン５の湯張スイッチ５４によって湯張操作指令をしたら（ステップＳ１１）、浴室乾燥機１が乾燥動作をしているかを浴室リモコン４の制御部４１で判別して（ステップＳ１２）、乾燥動作中ならば（ステップＳ１２で「ＹＥＳ」）、乾燥動作中の湯張操作指令を受け付けると湿気が戻るので、湯張操作指令を無効として（ステップＳ１３）、湯張操作指令を無効とした旨と、その理由を台所リモコン５の表示部５３に「浴室乾燥機が乾燥動作中ですので、湯張操作を受け付けません。」と表示して、使用者へ報知する（ステップＳ１４）。使用者が再度、台所リモコン５の湯張スイッチ５４によって湯張操作指令をしたら（ステップＳ１５）、台所リモコン５の表示部５３に「湯張操作を受け付けましたので、湯張動作を開始します。」と表示して、使用者へ報知（ステップＳ１７）すると共に、給湯機３は湯張動作を開始する（ステップＳ１８）。
【００１２】
ここで、本発明の実施例２を説明する。実施例２は、使用者が台所から台所リモコンを用いて浴室乾燥機１の「乾燥」を指示したい場合の例である。
図７は、実施例２の浴室乾燥システムにおける特徴的な制御のフローチャートであり、このフローチャートに沿って実施例２を説明する。
使用者が台所リモコン５の乾燥スイッチ５５によって乾燥操作指令をしたら（ステップＳ２１）、給湯機３が湯張動作をしているかを浴室リモコン４の制御部４１で判別して（ステップＳ２２）、湯張動作中ならば（ステップＳ２２で「ＹＥＳ」）、湯張動作中の乾燥操作指令を受け付けると、浴室乾燥機１の換気動作によって浴室Ａの温度が下がるので、乾燥操作指令を無効として（ステップＳ２３）、乾燥操作指令を無効とした旨と、その理由を台所リモコン５の表示部５３に「給湯機が湯張動作中ですので、乾燥操作を受け付けません。」と表示して、使用者へ報知する（ステップＳ２４）。使用者が再度、台所リモコン５の乾燥スイッチ５５によって乾燥操作指令をしたら（ステップＳ２５）、台所リモコン５の表示部５３に「乾燥操作を受け付けましたので、乾燥動作を開始します。」と表示して、使用者へ報知すると共に、浴室乾燥機１は乾燥動作を開始する（ステップＳ２８）。
結果として、浴室リモコン４にて給湯機３の湯張動作をしている時に、台所リモコン５にて浴室乾燥機１の乾燥操作指令をしても受け付けないので、使用者の注意力や判断不足によって浴室Ａの温度が下がることはない。「浴室が結露しないように湯張動作をしながら、浴室の乾燥をさせたい」という使用者の強い意志により、台所リモコン５の乾燥操作指令を再度行うと、湯張動作を継続しながら乾燥動作を開始する。
【００１３】
給湯機３の熱源は、ガスおよび石油および電気といった熱源を用いる。給湯機３は、湯はり機能有り、追焚付、給湯専用といった機能を備えた給湯機などを用いる。
【００１４】
なお、実施例１と実施例２においては、給湯機３と浴室乾燥機１の動作と、浴室リモコン４と台所リモコン５と浴室乾燥機リモコン２の操作指令を受けて、浴室リモコン４にて操作指令を受け付けるか否かの判断をしていたが、双方向の情報伝達を行っているので、台所リモコン５または給湯機３または浴室乾燥機１のいずれでも判断できる。
【図面の簡単な説明】
【００１５】
【図１】本発明の一実施形態に関わる浴室乾燥システムの全体構成図
【図２】本発明の一実施形態に関わる浴室乾燥システムのブロック図
【図３】台所リモコンの概略図
【図４】浴室リモコンの概略図
【図５】浴室乾燥機リモコンの概略図
【図６】実施例１の浴室乾燥システムにおける特徴的な制御のフローチャート
【図７】実施例２の浴室乾燥システムにおける特徴的な制御のフローチャート
【符号の説明】
【００１６】
Ａ・・・浴室
Ｂ・・・洗面所
Ｃ・・・台所
１・・・浴室乾燥機
２・・・浴室乾燥機リモコン
３・・・給湯機
４・・・浴室リモコン
５・・・台所リモコン
１１・・・浴室乾燥機の制御部
１４・・・浴室換気用送風機
１５・・・循環用送風機
１６・・・ヒーター
２１・・・浴室乾燥機リモコンの制御部
２２・・・浴室乾燥機リモコンの操作部
２３・・・浴室乾燥機リモコンの表示部
２５・・・浴室乾燥機リモコンの乾燥スイッチ
３１・・・給湯機の制御部
４１・・・浴室リモコンの制御部
４２・・・浴室リモコンの操作部
４３・・・浴室リモコンの表示部
４４・・・浴室リモコンの湯張スイッチ
４５・・・浴室リモコンの乾燥スイッチ
５１・・・台所リモコンの制御部
５２・・・台所リモコンの操作部
５３・・・台所リモコンの表示部
５４・・・浴室リモコンの湯張スイッチ
５５・・・浴室リモコンの乾燥スイッチ
９１２・・・浴室乾燥機と浴室乾燥機リモコン間の通信線
９３４・・・給湯機と浴室リモコン間の通信線
９４１・・・浴室リモコンと浴室乾燥機間の通信線
９５３・・・台所リモコンと給湯機間の通信線
【図１】
2005164078.tif 000003
【図２】
2005164078.tif 000004
【図６】
2005164078.tif 000005
【図７】
2005164078.tif 000006
【図３】
2005164078.tif 000007
【図４】
2005164078.tif 000008
【図５】
2005164078.tif 000009